(57)【要約】【課題】  核医学診断装置と共に一体化されたＸ線ＣＴ装置が単独でチルト機能を実行することが可能となる医用画像診断装置を提供する。【解決手段】  被検体を載置する寝台２と、Ｘ線ＣＴ装置１１と、核医学診断装置１２と、前記Ｘ線ＣＴ装置１１及び核医学診断装置１２の少なくとも一方を移動させるための移動手段１１２と、Ｘ線ＣＴ装置１１及び核医学診断装置１２を着脱可能に連結する連結手段１３と、Ｘ線ＣＴ装置１１による単独のスキャンを行う際に、連結手段１３による連結を解除して核医学診断装置１２を寝台２及びＸ線ＣＴ装置１１に対して相対的に所定の退避位置に退避させ、Ｘ線ＣＴ装置１１及び核医学診断装置１２の両架台によるスキャンを行う際に、Ｘ線ＣＴ装置１１と核医学診断装置１２とを接触させた後に連結手段１３による連結を行うように移動手段１１２及び連結手段１３を制御する移動制御手段とを備える【選択図】      図２
2006255275.tif 000002
【特許請求の範囲】
【請求項１】
被検体を載置する寝台と、
前記寝台に載置された被検体に対して医用画像を生成するためのスキャンを行い、前記寝台を内挿する開口部が形成され、移動可能に構成された第１の架台と、
前記寝台に載置された被検体に対して、前記第１の架台と異なる種類の医用画像を生成するためのスキャンを行い、移動可能に構成された第２の架台と、
前記第１の架台及び前記第２の架台の少なくとも一方を移動させるための移動駆動機構と、
前記第１の架台及び前記第２架台を着脱可能に連結する連結機構と、
前記第１の架台による単独のスキャンを行う際に、前記連結機構による連結を解除して前記第２の架台を前記寝台及び前記第１の架台に対して相対的に所定の退避位置に退避させ、前記第１の架台及び前記第２の架台の両架台によるスキャンを行う際に、前記第１の架台と前記第２の架台とを接触させた後に前記連結機構による連結を行うように前記移動駆動機構及び前記連結機構を制御する制御手段とを備えることを特徴とする医用画像診断装置。
【請求項２】
被検体を載置する寝台と、
前記寝台に載置された被検体に対して医用画像を生成するためのスキャンを行い、前記寝台を内挿する開口部が形成され、移動可能に構成された第１の架台と、
前記寝台に載置された被検体に対して、前記第１の架台と異なる種類の医用画像を生成するためのスキャンを行い、移動可能に構成された第２架台と、
前記第１の架台を移動させるための移動駆動機構と、
前記第１の架台と前記第２架台とを着脱可能に連結するものであり、連結時に前記第１の架台の移動に伴って前記第２の架台が移動するように構成された連結機構と、
前記第１の架台に対して離間された前記第２の架台の移動を抑制するためのロック機構とを備えることを特徴とする医用画像診断装置。
【請求項３】
前記第１の架台は、チルト機構を備え、且つ、Ｘ線ＣＴスキャンを行うＸ線ＣＴ装置であり、
前記第２の架台は、核医学診断用スキャンを行う核医学診断装置であることを特徴とする請求項１又は２に記載の医用画像診断装置。
【請求項４】
前記第２の架台が連結された前記第１の架台を所定の退避位置に移動させたときに前記連結機構を解除する制御と、
離間された前記第２の架台に向かって前記第１の架台を移動させて前記第２の架台に接触させた後に前記連結機構で前記第１の架台及び前記第２の架台を連結する制御とを、前記移動駆動機構及び前記連結機構に対して行う制御手段を備えたことを特徴とする請求項２又は３に記載の医用画像診断装置。
【請求項５】
前記第１の架台と前記第２の架台との接触を検出する検知部が設けられ、この検知部が前記第１の架台と前記第２の架台との接触を検出した時に、前記制御手段が、前記第１の架台の移動を停止させる制御を前記移動駆動機構に対して行うこと特徴とする請求項４に記載の医用画像診断装置。
【請求項６】
前記ロック機構は、前記第１の架台及び／又は前記第２の架台の移動方向に直交する方向に突出可能な突出部材を有し、
前記退避位置に到達した前記第２の架台から前記第１の架台が離間するときに、前記突出部材が突出して前記第２の架台に設けられた第２の接触部材と接触することにより前記第２の架台の移動を抑制すると共に、
前記退避位置に到達した前記第２の架台に前記第１の架台を接触させるときに、前記第１の架台に設けられた第１の接触部材が前記突出部材を押し戻して前記第２の架台を移動可能な状態にするように構成されたことを特徴とする請求項２に記載の医用画像診断装置。
【発明の詳細な説明】
【技術分野】
【０００１】
本発明は、核医学診断装置とＸ線ＣＴ装置とが接続された医用画像診断装置に関するものである。
【背景技術】
【０００２】
医用画像診断装置の一種であるＰＥＴ／ＣＴ装置は、１台の装置でＰＥＴ（Ｐｏｓｉｔｒｏｎ  Ｅｍｉｓｓｉｏｎ  Ｔｏｍｏｇｒａｐｈｙ）及びＸ線ＣＴの検査ができるもので、ＰＥＴで得られる機能情報をＣＴで得られる形態情報と重ね合わせることを可能とし、両者の情報をより活用することに役立つ。特に、悪性腫瘍の局所診断や評価の点においては、ＣＴで見られる所見の裏付けをすることができ、その臨床的意義は大きい（例えば、特許文献１）。
【０００３】
ここで、前記ＰＥＴによる断層撮影法は、生理的活性物質を標識して、その挙動を機能画像として捕えることのできる、機能画像診断法の最も進んだ手法である。特に、悪性腫瘍では、ブドウ糖の利用が高いため、ブドウ糖の誘導体であるＦ−１８フルオロデオキシグルコース（ＦＤＧ）が腫瘍に集積する。現在、本剤を用いたＰＥＴ検査が悪性腫瘍の診断、評価に広く利用されるようになってきている。
【０００４】
他方、Ｘ線ＣＴによる断層撮影法は、悪性腫瘍などの診断に不可欠な検査法として広く利用されてきた。これまでの画像診断法として前記ＦＤＧを用いたＰＥＴとＸ線ＣＴ検査が別々に行われてきたが、ＰＥＴ／ＣＴ装置を用いることによって１台の装置で両者の検査を受けることができる。
【０００５】
このように、ＰＥＴ／ＣＴ装置を用いた検査法の最大の特徴は、被検者を寝台に寝かせた状態で検査を引き続き行い、ＦＤＧによる機能画像とＸ線ＣＴによる形態画像とを簡単に重ね合わせることができる点である。これによって、以下１）〜５）に示すような様々な利点が得られる。
１）形態画像と機能画像とを重ね合わせることで、活動性病変の位置や広がりを正確に同定できる。
２）Ｘ線ＣＴで見られた形態異常所見に代謝情報を載せることでＣＴ所見の裏付けをすることができる。
３）これまでのＸ線ＣＴで行われていたインターベンション治療や生検などを重ねあわせ画像で見ることにより、当該部位について的確に判断することができる。
４）ＦＤＧでは、腎臓や膀胱などへの生理的集積を伴うことがあるが、これらと異常集積とを鑑別することができ、診断精度が向上する。
５）ＰＥＴ検査には、体内のγ線吸収を補正するために、外部線源をまわして吸収補正マップを得ている（トランスミッションスキャン）が、その吸収補正マップをＸ線ＣＴで代用することにより短時間で精度の高い吸収補正を行うことができる。
【０００６】
【特許文献１】特開２００４−２３７０７６号公報
【発明の開示】
【発明が解決しようとする課題】
【０００７】
しかしながら、特許文献１に記載のＰＥＴ／ＣＴ装置は、ＰＥＴ部の架台とＸ線ＣＴ部の架台とが一体構造となっているため、Ｘ線ＣＴを単独で使用する場合に利用される機能として、寝台に対して架台を傾斜させる架台チルト機能を用いることができなかった。
【０００８】
特に、ＰＥＴ部とＸ線ＣＴ部との分割は、メンテナンス作業の際に分割することは可能であっても、診断時に分割させることは想定されていなかった。
【０００９】
従って、上述のように、ＰＥＴとＸ線ＣＴとの利点を得るべく、ＰＥＴ／ＣＴ装置をユーザー（検者）が導入しても、当該ＰＥＴ／ＣＴ装置に架台チルト機能が想定されていないので、架台チルト機能を用いた診断を行うときには、単独のＸ線ＣＴ装置を別途導入しなければならず、医療設備費の高価格化を招いてしまうという問題があった。
【００１０】
本発明は、以上の問題点に鑑みてなされたものであって、その目的は、ＰＥＴ装置とＸ線ＣＴ装置とが一体化された医用画像診断装置において、それを構成するＣＴ装置が単独で架台チルト機能を実行することが可能となる医用画像診断装置を提供することにある。
【課題を解決するための手段】
【００１１】
上記課題を解決するための、請求項１記載の発明に係る医用画像診断装置は、被検体を載置する寝台と、前記寝台に載置された被検体に対して医用画像を生成するためのスキャンを行い、前記寝台を内挿する開口部が形成され、移動可能に構成された第１の架台と、前記寝台に載置された被検体に対して、前記第１の架台と異なる種類の医用画像を生成するためのスキャンを行い、移動可能に構成された第２の架台と、前記第１の架台及び前記第２の架台の少なくとも一方を移動させるための移動手段と、前記第１の架台及び前記第２架台を着脱可能に連結する連結手段と、前記第１の架台による単独のスキャンを行う際に、前記連結手段による連結を解除して前記第２の架台を前記寝台及び前記第１の架台に対して相対的に所定の退避位置に退避させ、前記第１の架台及び前記第２の架台の両架台によるスキャンを行う際に、前記第１の架台と前記第２の架台とを接触させた後に前記連結手段による連結を行うように前記移動手段及び前記連結手段を制御する移動制御手段とを備えることを特徴とする。
【００１２】
かかる構成とすることにより、ＰＥＴ装置又はＣＴ装置が相対的に離間するための移動手段を設け、ＣＴ装置との連結手段を解除して移動させた前記ＰＥＴ装置を退避させる機構を設けたので、ＣＴ装置とＰＥＴ装置とからなる医用画像診断装置として、ＣＴ装置の架台チルト機能を用いることが可能となり、ユーザー（検者）は、ＣＴ装置の架台チルト機能の使用を断念したり、単独のＸ線ＣＴ装置を別途導入するといった設備費の投入を避けることができ、コストの削減をすることができる。
【００１３】
上記課題を解決するための、請求項２記載の発明に係る医用画像診断装置は、被検体を載置する寝台と、前記寝台に載置された被検体に対して医用画像を生成するためのスキャンを行い、前記寝台を内挿する開口部が形成され、移動可能に構成された第１の架台と、前記寝台に載置された被検体に対して、前記第１の架台と異なる種類の医用画像を生成するためのスキャンを行い、移動可能に構成された第２架台と、前記第１の架台を移動させるための移動手段と、前記第１の架台と前記第２架台とを着脱可能に連結するものであり、連結時に前記第１の架台の移動に伴って前記第２の架台が移動するように構成された連結手段と、前記第１の架台に対して離間された前記第２の架台の移動を抑制するためのロック機構とを備えることを特徴とする。
【００１４】
上記課題を解決するための、請求項３記載の発明に係る医用画像診断装置は、請求項１又は２に記載の医用画像診断装置において、前記第１の架台は、チルト機構を備え、且つ、Ｘ線ＣＴスキャンを行うＸ線ＣＴ装置であり、前記第２の架台は、核医学診断用スキャンを行う核医学診断装置であることを特徴とする。
【００１５】
上記課題を解決するための、請求項４記載の発明に係る医用画像診断装置は、請求項２又は３に記載の医用画像診断装置において、前記第２の架台が連結された前記第１の架台を所定の退避位置に移動させたときに前記連結手段を解除する制御と、離間された前記第２の架台に向かって前記第１の架台を移動させて前記第２の架台に接触させた後に前記連結手段で前記第１の架台及び前記第２の架台を連結する制御とを、前記移動手段及び前記連結手段に対して行う制御手段を備えたことを特徴とする。
【００１６】
上記課題を解決するための、請求項５記載の発明に係る医用画像診断装置は、請求項４に記載の医用画像診断装置において、前記第１の架台と前記第２の架台との接触を検出する検知部が設けられ、この検知部が前記第１の架台と前記第２の架台との接触を検出した時に、前記制御手段が、前記第１の架台の移動を停止させる制御を前記移動手段に対して行うこと特徴とする。
【００１７】
上記課題を解決するための、請求項６記載の発明に係る医用画像診断装置は、請求項２に記載の医用画像診断装置において、前記ロック機構は、前記第１の架台及び／又は前記第２の架台の移動方向に直交する方向に突出可能な突出部材を有し、前記退避位置に到達した前記第２の架台から前記第１の架台が離間するときに、前記突出部材が突出して前記第２の架台に設けられた第２の接触部材と接触することにより前記第２の架台の移動を抑制すると共に、前記退避位置に到達した前記第２の架台に前記第１の架台を接触させるときに、前記第１の架台に設けられた第１の接触部材が前記突出部材を押し戻して前記第２の架台を移動可能な状態にするように構成されたことを特徴とする。
【発明の効果】
【００１８】
本発明によれば、ＰＥＴ装置又はＣＴ装置が相対的に離間するための移動手段を設け、ＣＴ装置との連結手段を解除して移動させた前記ＰＥＴ装置を退避させる機構を設けたので、ＣＴ装置とＰＥＴ装置とからなる医用画像診断装置として、ＣＴ装置の架台チルト機能を用いることが可能となり、ユーザー（検者）は、ＣＴ装置の架台チルト機能の使用を断念したり、単独のＸ線ＣＴ装置を別途導入するといった設備費の投入を避けることができ、コストの削減をすることができる。
【発明を実施するための最良の形態】
【００１９】
以下、本発明の実施形態につき、図面を参照して説明する。
【００２０】
図１は、本発明に係る医用画像診断装置の一実施形態における構成を示す斜視図であり、図２は、本発明に係る医用画像診断装置の一実施形態における構成を示すブロック図である。図１に示すように、本実施形態の医用画像診断装置１は、被検体を載置する寝台２と、ＣＴ画像の取得を行う第１の架台（ＣＴ装置）１１と、ＰＥＴ画像などの核医学診断画像の取得を行う第２の架台（ＰＥＴ装置）１２と、主に第２の架台（ＰＥＴ装置）１２を駆動制御する駆動制御手段１０（図２参照）とを有している。なお、本実施形態では、寝台２が診療室地面に固定され、その固定された寝台２に対して第１の架台（ＣＴ装置）１１と第２の架台（ＰＥＴ装置）１２が離間するように診療室地面上に設置された軌道３にそれぞれ沿って移動する。
【００２１】
第１の架台（ＣＴ装置）１１及び第２の架台（ＰＥＴ装置）１２には貫通孔をなす中空部がそれぞれ形成され、これらの中空部を通して寝台１６が挿入されるように第１の架台（ＣＴ装置）１１と第２の架台（ＰＥＴ装置）１２が連設されている。また、第１の架台（ＣＴ装置）１１と第２の架台（ＰＥＴ装置）１２は、連結部１３によって相互に着脱可能とされている。この連結部１３は、例えばパチン錠などの、手動で第１の架台（ＣＴ装置）１１と第２の架台（ＰＥＴ装置）１２とを固着させられるものである。
【００２２】
また、図２に示すように、連結部１３ａ及び連結部１３ｂによって構成される連結部１３には、その連結部１３の解除状態を検知する第１の検知部１３１が設けられている。
【００２３】
また、第１の架台（ＣＴ装置）１１には、第２の架台（ＰＥＴ装置）１２に対して第１の架台（ＣＴ装置）１１を連結、又は離間させるための移動手段及び、第１の架台（ＣＴ装置）１１単独もしくは第２の架台を連結した状態で、寝台２を前記中空部へ内挿するための移動手段として、駆動手段１１２が設けられている。なお、この駆動手段１１２は、第１の架台（ＣＴ装置）１１と第２の架台（ＰＥＴ装置）１２とを連結したボールスクリュー４に対して螺合することによって第１の架台（ＣＴ装置）１１を移動させることができるものである。このとき、当該ボールスクリューが何回転したかにより、第２の架台（ＰＥＴ装置）１２に対して第１の架台（ＣＴ装置）１１がどの程度近づいたかを計測するカウンタが駆動手段１２に内蔵されているものとする。
【００２４】
また、第１の架台（ＣＴ装置）１１と第２の架台（ＰＥＴ装置）１２とが所定の間隔で離れたことを検知する第２の検知部３１が軌道３に設けられている。ここで、前記「所定の間隔」とは、第２の架台（ＰＥＴ装置）１２の位置が、第１の架台（ＣＴ装置）１１単独の画像診断作業に影響しない距離に達したときの間隔を指し、そのような間隔が保たれた第２の架台（ＰＥＴ装置）１２の位置を「退避位置」とする。
【００２５】
さらに、第１の架台（ＣＴ装置）１１によるＣＴ画像の取得処理及び第２の架台（ＰＥＴ装置）１２によるＰＥＴ画像の取得処理の少なくとも何れか一方の処理要求の入力を受け付ける入力手段１４が設けられている。そして、その入力手段１４によって第１の架台（ＣＴ装置）１１におけるＣＴ画像の取得処理要求の入力を受け付けた場合に、前述した駆動制御手段１０は、第１の検知部１３１から連結部１３の解除を示す信号を受信した後、駆動手段１１２の動作を行わせ、第２の検知部３１によって第１の架台（ＣＴ装置）１１と第２の架台（ＰＥＴ装置）１２とが所定間隔離れたことを検知したときに、駆動手段１１２の動作を停止させる制御を実行する。
【００２６】
なお、駆動制御手段１０は、第１の架台（ＣＴ装置）１１と第２の架台（ＰＥＴ装置）１２とを所定間隔離した後に、被検体のＣＴ画像取得準備が完了したことを示す信号を送信するために、第１の架台（ＣＴ装置）１１に設けられたＣＴ制御手段１１１に通信可能に接続されている。従って、その信号を受信したＣＴ制御手段１１１は、チルト動作などを行って被検体のＣＴ画像を取得する。
【００２７】
次に、本発明に係る医用画像診断装置の一実施形態における動作について、図面を参照して以下に説明する。図３は、本発明に係る医用画像診断装置の一実施形態における動作を示すフローチャートであり、図４〜図１２は、本発明に係る医用画像診断装置の一実施形態における動作を示す概略図である。
【００２８】
図３及び図４に示すように、まず、本実施形態の医用画像診断装置１は、初期状態として、第１の架台（ＣＴ装置）１１と第２の架台（ＰＥＴ装置）１２とが連設されている。具体的には、それぞれの中空部（開口部）を通して寝台２が挿入されるように、第１の架台（ＣＴ装置）１１と第２の架台（ＰＥＴ装置）１２とが連結部１３によって連結されている。
【００２９】
寝台２に被検者を横臥させ、検者が入力手段１４を用いて画像診断装置１に関する運転命令が入力される（Ｓ１−Ｙｅｓ）。そして、このとき入力された情報が、第１の架台（ＣＴ装置）１１のみを使用する画像診断であった場合、特に、第１の架台（ＣＴ装置）１１のチルト機能を用いた画像診断を行いたい場合（Ｓ２−Ｙｅｓ）、検者は、第１の架台（ＣＴ装置）１１と第２の架台（ＰＥＴ装置）１２とを連結している連結部１３を解除する。なお、このとき、「連結部を解除してください」というような音声や文字表示による報知を検者に対して行ってもよい。
【００３０】
連結部１３には、第１の架台（ＣＴ装置）１１と第２の架台（ＰＥＴ装置）１２との連結の解除を検知する第１の検知部１３１が設置されている。検者によって連結部１３が解除された場合、駆動制御手段１０は、第１の検知部１３１から連結部１３解除の信号を受信する（Ｓ３−Ｙｅｓ）。
【００３１】
図５に示すように、この連結部１３解除の信号を受信したことを契機に、駆動制御手段１０は、例えば、「ＰＥＴ装置を退避させてください」というような音声や文字表示による報知を検者に対して行うなどして、第１の架台（ＣＴ装置）１１から離れる方向に第２の架台（ＰＥＴ装置）１２が検者によって移動される（Ｓ４）。
【００３２】
その後、検者によって第１の架台（ＣＴ装置）１１から離された第２の架台（ＰＥＴ装置）１２が第２の検知部３１に検知されることにより、駆動制御手段１０は、「第２の架台（ＰＥＴ装置）１２が第２の検知部３１の設置された位置（退避位置）に到達したこと」を示す退避位置到達信号を第２の検知部３１から受信する（Ｓ５−Ｙｅｓ）。ここで、「第２の検知部３１の設置された位置（退避位置）」とは、例えば第１の架台（ＣＴ装置）１１がチルト機能を用いても安全なように、第１の架台（ＣＴ装置）１１から第２の架台（ＰＥＴ装置）１２を離間させたと認識できる位置であればよい。
【００３３】
ここで、第２の架台（ＰＥＴ装置）１２が第２の検知部３１に検知される動作について説明する。図１３は、本実施形態における第２の検知部３１の構成を示す斜視図である。図１３に示すように、第２の検知部３１には、ばねなどの付勢力で軌道３上に突出したり第２の検知部３１内に収納されたりする突出部３１１が設けられており、この突出部３１１の上面から見た形状は、寝台２が設置された位置から第２の検知部３１が設置された位置に向かって傾斜し、第２の架台（ＰＥＴ装置）１２を退避させるために移動する方向側の端面が軌道３に直交するような三角形状をなしている。この構成が本発明にいうロック機構である。
【００３４】
したがって、Ｓ４において、第２の架台（ＰＥＴ装置）１２が第２の検知部３１を通過するときには、第２の架台（ＰＥＴ装置）１２に設けられ、軌道３上を移動する第２の接触部材１２２が、突出部３１１の前記傾斜形状の部分に付勢して突出部３１１を第２の検知部３１内に収納させることによって第２の架台（ＰＥＴ装置）１２は第２の検知部３１を通過できるが、本装置を上方から見た図６に示すように、第２の架台（ＰＥＴ装置）１２が第２の検知部３１を通過した後は、第２の接触部材１２２が通過したことによって付勢されなくなった突出部３１１が第２の検知部３１内から軌道３に突出し、かつ、その突出した突出部３１１が第２の接触部材１２２を付勢して第２の架台（ＰＥＴ装置）１２を第１の架台（ＣＴ装置）１１側に移動しないように固定するようになっている。
【００３５】
そして、第２の検知部３１から退避位置到達信号を受信した駆動制御手段１０は、第１の架台（ＣＴ装置）１１のＣＴ制御部１１１に対して被検体のＣＴ画像の取得を許可する信号を送信する（Ｓ６）。
【００３６】
この信号を受信したＣＴ制御部１１１は、図７に示すように、入力手段１４から入力された画像診断条件に基づいてＣＴ画像取得処理を行う（Ｓ７）。
【００３７】
その後、ＣＴ画像取得処理が終了した旨の信号をＣＴ制御部１１１から受信した（Ｓ８−Ｙｅｓ）駆動制御手段１０は、図８に示すように、第２の架台（ＰＥＴ装置）１２に近づく方向に第１の架台（ＣＴ装置）１１の駆動手段１１２を駆動制御する（Ｓ９）。
【００３８】
その後、図９に示すように、第１の架台（ＣＴ装置）１１と第２の架台（ＰＥＴ装置）１２とが接触したことを第２の検知部３１が検知する（Ｓ１０−Ｙｅｓ）と、第１の架台（ＣＴ装置）１１が第２の架台（ＰＥＴ装置）１２に接触したことを示す接触信号を駆動制御手段１０に送信し（Ｓ１０−Ｙｅｓ）、駆動制御手段１０は、第１の架台（ＣＴ装置）１１の駆動手段１１２に対して、停止するように制御する（Ｓ１１）。なお、このとき、駆動制御手段１０が「連結部を施錠してください」というような音声や文字表示による報知を検者に対して行う。
【００３９】
ここで、第１の架台（ＣＴ装置）１１と第２の架台（ＰＥＴ装置）１２とが接触したことを検知する方法は、具体的には、本装置を上方から見た図１０に示すように、第２の架台（ＰＥＴ装置）１２の第２の接触部材１２２が付勢することによって第２の検知部３１内に収納され、第２の架台（ＰＥＴ装置）１２の第２の接触部材１２２が通過したことによって前記付勢が解かれて軌道３上に再び突出した突出部３１１が、第２の接触部材１２２と同様に、第１の架台（ＣＴ装置）１１に設けられ、軌道３上を移動する第１の接触部材１１３によって再度付勢されて第２の検知部３１内に収納されたことを、「第１の架台（ＣＴ装置）１１と第２の架台（ＰＥＴ装置）１２とが接触した」として検知する。なお、第１の架台（ＣＴ装置）１１と第２の架台（ＰＥＴ装置）１２とが接触したことを検知する新たな検知手段を設けてもよい。
【００４０】
次に、検者が連結部１３を施錠することによって、第１の検知部１３１から駆動制御手段１０に連結部結合信号が送信され、これを受信したことにより（Ｓ１２−Ｙｅｓ）、駆動制御手段１０は、第２の架台（ＰＥＴ装置）１２を連結した第１の架台（ＣＴ装置）１１を初期位置に移動させるように駆動手段１１２を制御する（Ｓ１３）。このようにして、第１の架台（ＣＴ装置）１１及び第２の架台（ＰＥＴ装置）１２は、図１１に示すように、互いに連結された状態で初期位置に移動され、再びＳ１に示すような命令入力に対して待機することになる。
【００４１】
なお、Ｓ２において、検者が入力手段１４により、第１の架台（ＣＴ装置）１１のみではなく、第１の架台（ＣＴ装置）１１及び第２の架台（ＰＥＴ装置）１２を用いた画像診断を行うとした場合（Ｓ２−Ｎｏ）、図１２に示すように、駆動制御手段１０は、第１の架台（ＣＴ装置）１１のＣＴ制御手段１１１に対してＣＴ画像取得処理を要求し（Ｓ１４）、ＣＴ画像取得処理が終了したことをＣＴ制御手段１１１から通知された後、第２の架台（ＰＥＴ装置）１２のＰＥＴ制御手段１２１に対してＰＥＴ画像取得処理を要求し（Ｓ１５）、第１の架台（ＣＴ装置）１１を駆動制御することなく終了する。
【００４２】
また、本発明に係る画像診断装置の他の実施形態として、駆動手段１１２は、ボールスクリュー４を伴うものではなく、第１の架台（ＣＴ装置）１１及び／又は第２の架台（ＰＥＴ装置）１２の下部に設置され、第１の架台（ＣＴ装置）１１及び／又は第２の架台（ＰＥＴ装置）１２を載せた状態で軌道３上を走行する動力を伴う台車であってもよい。
【００４３】
また、本発明に係る画像診断装置の他の実施形態として、上記Ｓ４における第２の架台（ＰＥＴ装置）１２の移動を、第１の架台（ＣＴ装置）１１によって行ってもよい。このとき、ロック機構としての第２の検知部３１は、前記退避位置に到達した第２の架台（ＰＥＴ装置）１２から第１の架台（ＣＴ装置）１１が離間するときに、突出部材３１１が突出して第２の架台（ＰＥＴ装置）１２に設けられた第２の接触部材１２２と接触することにより前記第２の架台の移動を抑制すると共に、前記退避位置に到達した第２の架台（ＰＥＴ装置）１２に第１の架台（ＣＴ装置）１１を接触させるときに、第１の架台（ＣＴ装置）１１に設けられた第１の接触部材１１３が突出部材３１１を押し戻して第２の架台（ＰＥＴ装置）１２を移動可能な状態にするように構成される。
【００４４】
本実施形態の画像診断装置１は、寝台２が固定され、第１の架台（ＣＴ装置）１１及び第２の架台（ＰＥＴ装置）１２が寝台２に対して移動する態様で説明したが、本発明は、第１の架台（ＣＴ装置）１１が固定され、寝台２及び第２の架台（ＰＥＴ装置）１２が第１の架台（ＣＴ装置）１１に対して移動する態様の画像診断装置にも適用できる。すなわち、第１の架台（ＣＴ装置）１１が移動可能か否かにかかわらず、第２の架台（ＰＥＴ装置）１２は第１の架台（ＣＴ装置）１１に対して所定の間隔以上で相対的に移動可能とされていればよい。
【００４５】
また、上記実施形態は、核医学診断装置としてＰＥＴ装置を例に説明したが、核医学診断装置としての第２の架台１２にＳＰＥＣＴ装置を採択してもよい。
【００４６】
上述の実施形態によれば、第２の架台１２が第１の架台（ＣＴ装置）１１から離間するための移動手段を設け、第１の架台（ＣＴ装置）１１との連結手段を解除して移動させた前記ＰＥＴ部を待避させる機構を設けたので、第１の架台（ＣＴ装置）１１と第２の架台１２とからなる画像診断装置として、第１の架台（ＣＴ装置）１１の架台チルト機能を用いることが可能となる。ユーザー（検者）は、第１の架台１１の架台チルト機能の使用を断念したり、単独のＸ線ＣＴ装置を別途導入するといった設備費の投入を避けることができ、コストの削減をすることができる。
【００４７】
また、上述の実施形態では、寝台の天板を移動せずに、第１の架台（ＣＴ装置）１１と第２の架台１２とを移動することにより、天板を移動する場合に比べて、設置の長さを短くすることができる。また、１つの駆動手段で、第１の架台（ＣＴ装置）１１及び第２の架台１２の移動、連結、分離を行うことができる画像診断装置を安価に構成することが可能となる。
【００４８】
上述の各実施形態は、本発明の一例であり、本発明は上記実施形態に限定されることはない。また、この他であっても、本発明に係る技術的思想を逸脱しない範囲であれば、設計等に応じて種々の変更が可能である。
【図面の簡単な説明】
【００４９】
【図１】本発明に係る画像診断装置の一実施形態における構成を示す斜視図。
【図２】本発明に係る画像診断装置の一実施形態における構成を示す概略図。
【図３】本発明に係る画像診断装置の一実施形態における動作を示すフローチャート。
【図４】本発明に係る画像診断装置の一実施形態における動作を示す概略図。
【図５】本発明に係る画像診断装置の一実施形態における動作を示す概略図。
【図６】本発明に係る画像診断装置の一実施形態における第２の検知部の動作を示す上方概略図。
【図７】本発明に係る画像診断装置の一実施形態における動作を示す概略図。
【図８】本発明に係る画像診断装置の一実施形態における動作を示す概略図。
【図９】本発明に係る画像診断装置の一実施形態における動作を示す概略図。
【図１０】本発明に係る画像診断装置の一実施形態における第２の検知部の動作を示す上方概略図。
【図１１】本発明に係る画像診断装置の一実施形態における動作を示す概略図。
【図１２】本発明に係る画像診断装置の一実施形態における動作を示す概略図。
【図１３】本発明に係る画像診断装置の一実施形態における第２の検知部の構成を示す斜視図。
【符号の説明】
【００５０】
１  画像診断装置
１０  駆動制御手段
１１  第１の架台（ＣＴ装置）
１１１  ＣＴ制御手段
１１２  駆動手段
１１３  第１の接触部材
１２  第２の架台（ＰＥＴ装置）
１２１  ＰＥＴ制御手段
１２２  第２の接触部材
１３  連結部
１３１  第１の検知部
１４    入力手段
２  寝台
３  軌道
３１  第２の検知部
３１１  突出部
４  ボールスクリュー
【図１】
2006255275.tif 000003
【図２】
2006255275.tif 000004
【図３】
2006255275.tif 000005
【図４】
2006255275.tif 000006
【図５】
2006255275.tif 000007
【図６】
2006255275.tif 000008
【図７】
2006255275.tif 000009
【図８】
2006255275.tif 000010
【図９】
2006255275.tif 000011
【図１０】
2006255275.tif 000012
【図１１】
2006255275.tif 000013
【図１２】
2006255275.tif 000014
【図１３】
2006255275.tif 000015